(57)【要約】【課題】共通電極配線層をソース配線層方向に分割する場合、共通電極配線層の分割位置には金属配線層を配置することができなくなり、ＴＦＴガラス基板とＣＦガラス基板の組立ずれが生じたとき、視野角混色が生じる可能性がある。【解決手段】表示装置は、共通電極配線層をソース配線層方向に分割し、ソース配線層の上方であって共通電極配線層の上に接する部分に金属配線層を配置し、共通電極配線層の分割位置には金属配線層を配置しない。ソース配線層の上方であるが、共通電極配線層の分割位置の色間と同色の色間には金属配線層を配置しないようにしてもよい。【選択図】図６Ａ
2015075605.tif 000002
【特許請求の範囲】
【請求項１】
複数の第１の画素を有する表示装置は、
第１の基板と、
第２の基板と、
を備え、
前記第１の基板は、
第１の方向に延在するゲート配線層と、
前記第１の方向とは異なる第２の方向に延在し、前記第１の方向に複数配置されるソース配線層と、
前記第２の方向に延在し、前記第１の方向に複数の所定画素幅ごとに分割される共通電極配線層と、
前記第２の方向に延在し、前記第１の方向に複数配置される金属配線層と、
を備え、
前記複数の第１の画素のそれぞれは、前記第１の方向に沿って順番に配置される第１の色のサブピクセル、第２の色のサブピクセル、第３の色のサブピクセルで構成され、
前記複数のソース配線層は、第１の配線層と前記第１の配線層の両脇にそれぞれ隣接する複数の第２の配線層とからなり、
前記共通電極配線層の分割領域は、第１の色のサブピクセルと第２の色のサブピクセルとの間であって、前記第１の配線層の上に位置する部分の上に配置され、
前記金属配線層は、前記複数の第２の配線層ごとに、前記複数の第２の配線層の上に位置する部分の前記共通電極配線層の上に接して配置される。
【請求項２】
請求項１の表示装置において、
前記分割領域の平面視形状は、前記第２の方向に延在する長方形であり、その幅は、前記金属配線層の幅よりも狭い。
【請求項３】
請求項１の表示装置において、
前記第１の色のサブピクセルと前記第２の色のサブピクセルとの間を挟んで配置される隣接する金属配線層の間隔は、前記第２の色のサブピクセルと前記第３の色のサブピクセルとの間を挟んで配置される隣接する金属配線層の間隔および前記第３の色のサブピクセルと前記第１の色のサブピクセルとの間を挟んで配置される隣接する金属配線層の間隔よりも大きい。
【請求項４】
請求項１の表示装置において、
前記共通電極配線層のうち、第１の方向に配置される第１の画素行が位置する部分では、前記共通電極配線層の分割領域は、所定数のサブピクセルごとに第１の色のサブピクセルと第２の色のサブピクセルとの間に位置し、
前記共通電極配線層のうち、前記第１の画素行と隣接する第１の方向に配置される第２の画素行が位置する部分では、前記共通電極配線層の分割領域は、所定数のサブピクセルごとに第２の色のサブピクセルと第３の色のサブピクセルとの間に位置し、
前記共通電極配線層のうち、前記第２の画素行と隣接する第１の方向に配置される第３の画素行が位置する部分では、前記共通電極配線層の分割領域は、所定数のサブピクセルごとに第３の色のサブピクセルと第１の色のサブピクセルとの間に位置し、
前記共通電極配線層のうち、前記第３の画素行と隣接する第１の方向に配置される第４の画素行が位置する部分では、前記共通電極配線層の分割領域は、所定数のサブピクセルごとに第２の色のサブピクセルと第３の色のサブピクセルとの間に位置し、
前記共通電極配線層のうち、前記第４の画素行と隣接する第１の方向に配置される第５の画素行が位置する部分では、前記共通電極配線層の分割領域は、所定数のサブピクセルごとに第１の色のサブピクセルと第２の色のサブピクセルとの間に位置し、
前記分割領域の平面視形状は、巨視的には前記第２の方向に延在する直線であり、微視的には前記第１の方向および前記第２の方向に延在するジグザグ線である。
【請求項５】
請求項１の表示装置において、
前記共通電極配線層のうち、第１の方向に配置される第１の画素行が位置する部分では、前記共通電極配線層の分割領域は、所定数のサブピクセルごとに第１の色のサブピクセルと第２の色のサブピクセルとの間に位置し、
前記共通電極配線層のうち、前記第１の画素行と隣接する第１の方向に配置される第２の画素行が位置する部分では、前記共通電極配線層の分割領域は、所定数のサブピクセルごとに第２の色のサブピクセルと第３の色のサブピクセルとの間に位置し、
前記共通電極配線層のうち、前記第２の画素行と隣接する第１の方向に配置される第３の画素行が位置する部分では、前記共通電極配線層の分割領域は、所定数のサブピクセルごとに第３の色のサブピクセルと第１の色のサブピクセルとの間に位置し、
前記共通電極配線層のうち、前記第３の画素行と隣接する第１の方向に配置される第４の画素行が位置する部分では、前記共通電極配線層の分割領域は、所定数のサブピクセルごとに第１の色のサブピクセルと第２の色のサブピクセルとの間に位置し、
前記共通電極配線層のうち、前記第４の画素行と隣接する第１の方向に配置される第５の画素行が位置する部分では、前記共通電極配線層の分割領域は、所定数のサブピクセルごとに第２の色のサブピクセルと第３の色のサブピクセルとの間に位置し、
前記分割領域の平面視形状は、巨視的に斜め方向に延在する直線であり、微視的には前記第１の方向および前記第２の方向に延在するジグザグ線である。
【請求項６】
請求項１から５のいずれか１項の表示装置において、
前記共通電極配線層は透明性導電膜であり、
前記金属配線層は遮光性導電膜である。
【請求項７】
請求項１から５のいずれか１項の表示装置において、
前記第２の基板は、前記第１の方向に延在する検出電極配線層を備え、
前記共通電極配線層はインセルタッチパネルの駆動電極配線層の機能を兼ねる。
【請求項８】
請求項１から５のいずれか１項の表示装置において、
前記第２の基板は、
前記第１、第２および第３の色のサブピクセルにそれぞれ対応する第１、第２および第３の着色層と、
前記第１、第２および第３の着色層のそれぞれの間に配置されるブラックマトリックスと、
を備える。
【請求項９】
請求項１から５のいずれか１項の表示装置において、
前記第１、第２および第３の色は、それぞれ青、赤、緑、である。
【請求項１０】
複数の画素を有する表示装置は、
第１の基板と、
第２の基板と、
前記第１および第２の基板に挟まれた配置される液晶層と、
を備え、
前記各画素は、第１の方向に順番に配置される第１、第２および第３のサブピクセルを備え、
前記第１、第２および第３のサブピクセルのそれぞれは、前記第１の方向とは異なる第２の方向に複数位置するように配置され、
前記第１の基板は、
前記第２の方向に延在するソース配線層と、
前記第２の方向に延在し、第１の方向に所定の長さごとに分割される共通電極配線層と、
前記第２の方向に延在する金属配線層と、
を備え、
前記第２の基板は、前記第１の方向に延在する検出電極配線層を備え、
前記共通電極配線層は透明性導電膜であり、
前記金属配線層は遮光性導電膜であり、
前記共通電極配線層は、前記第２方向に複数配置される画素に共通に使用されるものであり、
前記共通電極配線層はインセルタッチパネルの駆動電極配線層の機能を兼ねるものであり、
前記共通電極配線層の分割領域は、前記第１および第２のサブピクセルの間であって前記ソース線の上に位置するように配置され、
前記金属配線層は、前記ソース配線層ごとに、前記ソース配線層の上に位置する部分の前記共通電極配線層の上に接して配置される。
【請求項１１】
請求項１０の表示装置において、
前記第１、第２および第３のサブピクセルのそれぞれは、前記第２の方向に複数位置するように配置され、
前記分割領域は、複数の前記第１および第２のサブピクセルの間に位置し、前記分割領域の平面視形状は、前記第２の方向に延在する長方形である。
【請求項１２】
請求項１１の表示装置において、
前記分割領域を挟んで隣接する金属配線層の間隔は、他の隣接する金属配線層の間隔よりも大きい。
【請求項１３】
請求項１１の表示装置において、
前記第３のサブピクセルと前記第１のサブピクセルの間に位置する金属配線層と、前記第２のサブピクセルと前記第３のサブピクセルの間に位置する金属配線層と、の間隔は、前記第２のサブピクセルと前記第３のサブピクセルの間に位置する金属配線層と、前記第３のサブピクセルと前記第１のサブピクセルの間に位置する金属配線層と、の間隔よりも大きい。
【請求項１４】
請求項１０から１３のいずれか１項の表示装置において、
前記第２の基板は、
前記第１、第２および第３のサブピクセルにそれぞれ対応する第１、第２および第３の着色層と、
前記第１、第２および第３の着色層のそれぞれの間に配置されるブラックマトリックスと、
を備える。
【請求項１５】
請求項１０から１３のいずれか１項の表示装置において、
前記第１、第２および第３のサブピクセルは、それぞれ青、赤、緑である。
【請求項１６】
複数の第１および第２の画素を有する表示装置は、
第１の基板と、
第２の基板と、
を備え、
前記第１の基板は、
第１の方向に延在するゲート配線層と、
前記第１の方向とは異なる第２の方向に延在し、前記第１の方向に複数配置されるソース配線層と、
前記第２の方向に延在し、前記第１の方向に所定の幅ごとに分割される共通電極配線層と、
前記第２の方向に延在し、前記第１の方向に複数配置される金属配線層と、
を備え、
前記第１および第２の画素は前記第１および第２の方向にそれぞれ交互に配置され、
前記第１の画素は、前記第１の方向に沿って順番に配置される第１の色のサブピクセル、第２の色のサブピクセル、第３の色のサブピクセルで構成され、
前記第２の画素は、前記第１の方向に沿って順番に配置される第１の色のサブピクセル、第２の色のサブピクセル、第４の色のサブピクセルで構成され、
第３の色のサブピクセルと第４の色のサブピクセルとは、同一のソース配線層で駆動するようにされ、
前記複数のソース配線層は、第１の配線層と前記第１の配線層の両脇にそれぞれ隣接する複数の第２の配線層とからなり、
前記共通電極配線層の前記第２の方向に延在する分割領域は、所定数のサブピクセルごとに第３の色のサブピクセルと第１の色のサブピクセルとの間であって、前記第１の配線層の上に位置する部分の上に配置され、
前記共通電極配線層の前記第１の方向に延在する分割領域は、第１の画素と第２の画素の間に位置する部分に配置され、
前記金属配線層は、前記複数の第２の配線層ごとに、前記複数の第２の配線層の上に位置する部分の前記共通電極配線層の上に接して配置される。
【請求項１７】
請求項１６の表示装置において、
前記共通電極配線層は透明性導電膜であり、
前記金属配線層は遮光性導電膜である。
【請求項１８】
請求項１６または１７の表示装置において、
前記第２の基板は、前記第１の方向に延在する検出電極配線層を備え、
前記共通電極配線層はインセルタッチパネルの駆動電極配線層の機能を兼ねる。
【請求項１９】
請求項１６または１７の表示装置において、
前記第２の基板は、
前記第１、第２、第３および第４の色のサブピクセルにそれぞれ対応する第１、第２、第３および第４の着色層と、
前記第１、第２、第３および第４の着色層のそれぞれの間に配置されるブラックマトリックスと、
を備える。
【請求項２０】
請求項１６または１７の表示装置において、
前記第１、第２、第３および第４の色は、それぞれ赤、緑、青、白である。
【発明の詳細な説明】
【技術分野】
【０００１】
本開示は、表示装置に関し、例えばインセル型タッチパネルを有する表示装置に適用可能である。
【背景技術】
【０００２】
近年、モバイル用途の液晶表示装置ではスマートフォン向けを中心に入力機能としての静電容量タッチパネルが導入されている。さらにこの静電容量タッチパネルは、液晶表示装置内にその機能を組み込むインセル化がすすめられている。インセル化において、活用されているのが、ＦＦＳ（フリンジフィールドスイッチング）構造の共通電極である。共通電極は、ＴＦＴ（Thin Film Transistor）ガラス基板上にＩＴＯ（Indium Tin Oxide）で形成され、タッチパネルの駆動電極を兼ねている。検出電極はＣＦ（Color Filter）ガラス基板上の裏面にＩＴＯで形成されている。
【０００３】
特開２００９−２４４９５８号公報（特許文献１）においては、ゲート線方向に分割された共通電極は、ソース線方向に分割されたた検出電極と組み合わせられて、タッチパネルの機能が実現されている。なお、共通電極の分割方向として、特開２０１０−２３１７７３号公報（特許文献２）や国際公開第２０１２／０７３７９２号（特許文献３）に開示されるように、ソース線方向に分割する方法もある。
【先行技術文献】
【特許文献】
【０００４】
【特許文献１】特開２００９−２４４９５８号公報
【特許文献２】特開２０１０−２３１７７３号公報
【特許文献３】国際公開第２０１２／０７３７９２号
【発明の概要】
【発明が解決しようとする課題】
【０００５】
本願発明者は、共通電極配線層をソース配線層方向に分割する場合、次のような問題があることを見出した。
共通電極配線層をゲート配線層方向に分割する場合は、共通電極配線層の抵抗を下げる目的で共通電極配線層とコンタクトする形で、すべてのソース配線層上でＢＭ（ブラックマトリックス）下になる位置に金属配線層を配置すると、ＴＦＴガラス基板とＣＦガラス基板の組立ずれが生じた場合に生じる視野角混色を防止することができる。しかし、共通電極配線層をソース配線層方向に分割する場合、共通電極配線層の分割位置には金属配線層を配置することができなくなり、視野角混色が生じる可能性がある。
本開示の課題は、視野角混色が少ない表示装置を提供することである。
その他の課題と新規な特徴は、本開示の記述および添付図面から明らかになるであろう。
【課題を解決するための手段】
【０００６】
本開示のうち、代表的なものの概要を簡単に説明すれば、下記のとおりである。
すなわち、表示装置は、共通電極配線層をソース配線層方向に分割し、ソース配線層の上方であって共通電極配線層の上に接する部分に金属配線層を配置し、共通電極配線層の分割位置には金属配線層を配置しない。ソース配線層の上方であるが、共通電極配線層の分割位置の色間と同色の色間には金属配線層を配置しないようにしてもよい。
【発明の効果】
【０００７】
上記の表示装置によれば、視野角混色を低減することができる。
【図面の簡単な説明】
【０００８】
【図１】比較例１に係る液晶表示装置の構成を示す図である。
【図２Ａ】比較例２に係る液晶表示装置の構成を示す図である。
【図２Ｂ】比較例２に係る液晶表示装置の混色を示す図である。
【図３Ａ】組立ずれが起きたときに視野角混色が生じる原理を説明するための図である。
【図３Ｂ】組立ずれが起きたときに視野角混色が生じる原理を説明するための図である。
【図３Ｃ】組立ずれが起きたときに視野角混色が生じる原理を説明するための図である。
【図３Ｄ】組立ずれが起きたときに視野角混色が生じる原理を説明するための図である。
【図４】実施例１に係る液晶表示装置の構成を示す図である。
【図５】実施例１に係るＴＦＴガラス基板の構成を示す図である。
【図６Ａ】実施例１に係る液晶表示装置の構成を示す図である。
【図６Ｂ】実施例１に係る液晶表示装置の混色を示す図である。
【図７Ａ】実施例３に係る液晶表示装置の構成を示す図である。
【図７Ｂ】実施例３に係る液晶表示装置の混色を示す図である。
【図８】変形例１に係る液晶表示装置の構成を示す図である。
【図９Ａ】実施例４に係る液晶表示装置の構成を示す図である。
【図９Ｂ】実施例４に係る液晶表示装置の混色を示す図である。
【発明を実施するための形態】
【０００９】
まず、本願発明者が見出した視野角混色の問題について説明する。
図１は比較例１に係る表示装置の構成を示す図である。図１（ａ）は液晶表示装置の一部を示した平面図、同図（ｂ）は同図（ａ）のＡ−Ａ’線に沿った液晶表示装置の一部を示した断面図である。比較例１に係る表示装置１１は、ＴＦＴガラス基板１２、ＣＦガラス基板１３、およびＴＦＴガラス基板１２とＣＦガラス基板１３間に挟まれた液晶層２１を有する。ＴＦＴガラス基板１２において、共通電極配線層１４はゲート配線層と平行な方向（Ｘ方向）で分割されており、各サブピクセル間には共通電極配線層１４と接続する形で金属配線層１５が敷設されている。共通電極配線層１４と共通電極配線層１４との間の分割領域（分割位置）２０はＸ方向に延在し、Ｙ方向に周期的に配置される。金属配線層１５は高精細パネルにおいて、ＣＦガラス基板１３とＴＦＴガラス基板１２の組立ずれが起きたときに生じる視野角混色を防止する遮光層の役割と共通電極配線層１４の抵抗低減する役割を兼ねている。この構成の場合共通電極配線層１４の分割位置は不図示の映像線（ゲート配線層）の上方にあるため、ゲート配線層との交差部の一部を除く、信号線（ソース配線層）１６の上部には金属配線層１５をすべて配置することができる。すなわち、すべての信号配線層１６上でＢＭ１７下になる位置に金属配線層１５が形成されている。
【００１０】
ＣＦガラス基板１８は、赤（Ｒ）、緑（Ｇ）、青（Ｂ）のカラーフィルタ（着色層）１８とＢＭ１７を有する。カラーフィルタ１８は、行方向（Ｘ方向）にＲ、Ｇ、Ｂの順に繰り返し配置される。また、カラーフィルタ１８は、列方向に同色が配置される。カラーフィルタは平面視で、Ｘ方向の長さがＹ方向の長さより短い矩形形状をしている。
【００１１】
ＣＦガラス基板１８の裏面（図１（ｂ）においては上面）に不図示の検出電極配線層がソース配線層１６と平行な方向（Ｙ方向）に延在し、Ｘ方向に周期的に配置されている。
【００１２】
共通電極配線層１４および画素電極配線層１９はＩＴＯ等の透光金属層で形成され、金属配線層１５およびソース配線層１６は遮光金属層で形成される。
【００１３】
図２Ａは比較例２に係る表示装置の構成を示す図である。図２Ｂは比較例２に係る表示装置の混色を示す図である。図２Ａ（ａ）は液晶表示装置の一部を示した平面図、同図（ｂ）は同図（ａ）のＡ−Ａ’線に沿った液晶表示装置の一部を示した断面図である。比較例に係る表示装置１１Ａは、ＴＦＴガラス基板１２において、共通電極配線層１４はソース配線層１６と平行な方向（Ｙ方向）に延在し、Ｘ方向に分割されて周期的に配置されており、各サブピクセル間には共通電極配線層１４と接続する形で金属配線層１５が配置されている。ただし、分割された共通電極配線層１４同士をショートしないようにするために、共通電極配線層１４の分割位置（分割領域）には金属配線層１５は配置されていない。すなわち、共通電極配線層１４の分割位置に位置するソース配線層１６上でＢＭ１７下になる位置に金属配線層１５が形成されない。その結果、ＣＦガラス基板１３とＴＦＴガラス基板１２の組立ずれ（以下、単に、「組立ずれ」という。）が起きたときに視野角混色が生じる可能性がある。なお、共通電極配線層１４と共通電極配線層１４との間の分割領域（分割位置）２０はＹ方向に延在し、Ｘ方向に周期的に配置される。共通電極配線層１４の分割位置２０は、赤サブピクセルと緑サブピクセルの間である。分割された一つの共通電極配線層１４のＸ方向は９サブピクセル（３画素）分となっている。分割された共通電極配線層１４の間隔（分割領域の幅）は金属配線層１５の幅よりも小さく、金属配線層１５の幅はＢＭ１７の幅よりも小さい。共通電極配線層１４はＹ方向には分割されていないので、共通電極配線層１４は、Ｙ方向に配置されるすべての画素に共通に使用される。
【００１４】
図３Ａから図３Ｄは組立ずれが起きたときに視野角混色が生じる原理を説明するための図である。図３Ａは赤サブピクセルのみに白電圧が印加された場合に組立ずれが起きないときの断面図である。図３Ｂは赤サブピクセルのみに白電圧が印加された場合に組立ずれが起きたときの断面図で、同図（ａ）はＣＦガラス基板が右にずれたときの断面図で、同図（ｂ）はＣＦガラス基板が左にずれたときの断面図である。図３Ｃは緑サブピクセルのみに白電圧が印加された場合に組立ずれが起きたときの断面図で、同図（ａ）はＣＦガラス基板が右にずれたときの断面図で、同図（ｂ）はＣＦガラス基板が左にずれたときの断面図である。図３Ｄは青サブピクセルのみに白電圧が印加された場合に組立ずれが起きたときの断面図で、同図（ａ）はＣＦガラス基板が右にずれたときの断面図で、同図（ｂ）はＣＦガラス基板が左にずれたときの断面図である。
【００１５】
図３Ａは赤サブピクセルのみに白電圧が印加され、組立ずれが起きていないので、ＢＭ１７の中心に白電圧と黒電圧の境界が位置するので、混色が生じない。
【００１６】
図３Ｂ（ａ）の赤サブピクセルのみに白電圧が印加され、ＣＦガラス基板１３が右にずれたときは、白電圧が隣の青のカラーフィルタに近い所に位置する部分にはいずれも金属配線層１５が配置されているため、光漏れが生じす、混色は生じない。図３Ｂ（ｂ）の赤サブピクセルのみに白電圧が印加され、ＣＦガラス基板１３が左にずれたときに、白電圧が隣の緑のカラーフィルタに近い所に位置する部分には金属配線層１５が配置されない箇所があり、ＴＦＴガラス基板１２の赤サブピクセルに対応する液晶を透過した光が赤のカラーフィルタと緑のカラーフィルタを透過して赤に緑が混色する。しかし、赤サブピクセルと緑サブピクセルの境界に金属配線層１５がある箇所では混色は生じない。
【００１７】
図３Ｃ（ａ）の緑サブピクセルのみに白電圧が印加されＣＦガラス基板１３が右にずれたときに、白電圧が隣の赤のカラーフィルタに近い所に位置する部分には金属配線層１５が配置されない箇所があり、ＴＦＴガラス基板１２の緑サブピクセルに対応する液晶を透過した光が緑のカラーフィルタと赤のカラーフィルタを透過して緑に赤が混色する。しかし、緑サブピクセルと赤サブピクセルの境界に金属配線層１５がある箇所では混色は生じない。図３Ｃ（ｂ）の緑サブピクセルのみに白電圧が印加され、ＣＦガラス基板１３が左にずれたときは、白電圧が隣の青のカラーフィルタに近い所に位置する部分にはいずれも金属配線層１５が配置されているため、光漏れが生じす、混色は生じない。
【００１８】
図３Ｄ（ａ）の青サブピクセルのみに白電圧が印加され、ＣＦガラス基板１３が右にずれたときは、白電圧が隣の緑のカラーフィルタに近い所に位置する部分にはいずれも金属配線層１５が配置されているため、光漏れが生じす、混色は生じない。図３Ｄ（ｂ）の青サブピクセルのみに白電圧が印加され、ＣＦガラス基板１３が左にずれたときは、白電圧が隣の赤のカラーフィルタに近い所に位置する部分にはいずれも金属配線層１５が配置されているため、光漏れが生じす、混色は生じない。
【００１９】
なお、共通電極配線層１４の分割位置を赤サブピクセルと緑サブピクセルの間にした場合に、上記のような視野角混色が生じる。共通電極配線層１４の分割位置を緑サブピクセルと青サブピクセルの間にした場合には、緑に青の混色または青に緑の混色が生じる。共通電極配線層１４の分割位置を青サブピクセルと赤サブピクセルの間にした場合には、青に赤の混色または赤に青の混色が生じる。なお、透過率の高いサブピクセルで光漏れが生じると混色が悪化するため、透過率が最も高いサブピクセルの横での共通電極配線層の分割は避けた方がよい。白サブピクセル、緑サブピクセル、赤サブピクセル、青サブピクセルの順に透過率の高い。すなわち、白サブピクセルが最も透過率が高く、青サブピクセルが最も透過率が低い。
【００２０】
図２Ｂ（ａ）はＣＦガラス基板が右にずれた場合、同図（ｂ）はＣＦガラス基板が左にずれた場合を示している。同図（ａｒ）、（ｂｒ）は液晶表示装置を右側から見た場合、同図（ａｃ）、（ｂｃ）は液晶表示装置を正面から見た場合、同図（ａｌ）、（ｂｌ）は液晶表示装置を左側から見た場合を示している。同図（ａ１）、（ｂ１）は赤サブピクセルのみに白電圧が印加された場合に組立ずれが起きたとき、同図（ａ２）、（ｂ２）は緑サブピクセルのみに白電圧が印加された場合に組立ずれが起きたとき、同図（ａ３）、（ｂ３）は青サブピクセルのみに白電圧が印加された場合に組立ずれが起きたときを示している。共通電極配線層１４の分割位置、すなわち、金属配線層１５がない箇所が周期的に配置されるので、同図（ａ２）（ａｒ）に示すように緑色画面に赤色の縦筋が現れる可能性があり、同図（ｂ１）（ｂｌ）に示すように赤色画面に緑色の縦筋が現れる可能性がある。
【００２１】
以下、実施例および変形例について、図面を用いて説明する。ただし、以下の説明において、同一構成要素には同一符号を付し繰り返しの説明は省略する。
【実施例１】
【００２２】
図４は実施例１に係る液晶表示装置の構成を示す図である。図４（ａ）は液晶表示装置の基板ごとの平面図、同図（ｂ）は側面図を示している。実施例１に係る液晶表示装置４０は、インセルタイプのタッチパネル機能を有し、共通電極配線層がタッチパネルの駆動電極配線層の機能を兼ねている。
【００２３】
液晶表示装置４０は、ＴＦＴガラス基板１２とＣＦガラス基板１３と液晶層２１とバックライト４１と偏光板４２と制御回路４３とタッチＩＣ４５とケーブル４９ａ、４９ｂ、４９ｃを有する。液晶表示装置４０は縦長である（Ｙ方向の長さがＸ方向の長さよりも大きい）。ＴＦＴガラス基板１２には、ＬＣＤ走査回路４６と共通電極選択回路（ＣＯＭ選択回路）４７と信号線選択回路４８がＴＦＴで形成されている。また、ＴＦＴガラス基板１２には、ＣＭＯＳ等の半導体集積回路（ＩＣ）で構成された駆動回路４４がＣＯＧ実装されている。駆動回路４４はケーブル４９ａを介してＩＣで構成された制御回路４４に接続されている。ＣＦガラス基板１３の上面（液晶層２１とは反対側）にはＸ方向に延在する複数の検出電極配線層５０が形成され、検出電極配線層５０はケーブル４９ｂを介して、ケーブル４９ｂ上に実装されたタッチＩＣ（Ｔｏｕｃｈ  ＩＣ）４５に接続されている。ケーブル４９ｂは制御回路４３と接続されている。バックライト４１は、ケーブル４９ｃを介して制御回路４３に接続されている。偏光板４２は、バックライト４１とＴＦＴガラス基板１２との間およびＣＦガラス基板１３の上面に配置されている。
【００２４】
図５は実施例１に係るＴＦＴガラス基板の構成を示す図である。図５（ａ）はＴＦＴガラス基板の一部を示している平面図、同図（ｃ）は同図（ａ）の破線で囲った部分を拡大した平面図、同図（ｂ）は同図（ｃ）のＢ−Ｂ’断面図を示している。
【００２５】
共通電極配線層１４は信号配線層１６と平行な方向（Ｙ方向）に延在し、Ｘ方向に分割されて周期的に配置されており、各サブピクセル間には共通電極配線層１４と接続する形で金属配線層１５が配置されている。ただし、分割された共通電極配線層１４同士をショートしないようにするために、共通電極配線層１４の分割位置（分割領域）には金属配線層１５は配置されていない。すなわち、共通電極配線層１４の分割位置に位置する信号配線層１６上でＢＭ１７下になる位置に金属配線層１５が形成されない。なお、共通電極配線層１４と共通電極配線層１４との間の分割領域（分割位置）２０はＹ方向に延在し、Ｘ方向に周期的に配置される。また、共通電極配線層１４の分割位置の色間と同じ色間の金属配線層１５はすべて配置しない。画素電極層１９がドレイン電極層５６の接続するコンタクトホール部分を除いて、共通電極層１４はサブピクセル間で接続されている。なお、図面記載上の都合により、分割された一つの共通電極配線層１４のＸ方向は６サブピクセル（２画素）分となっているが、本実施例では、比較例２と同様に図６Ａに示すように、分割された一つの共通電極配線層１４のＸ方向は９サブピクセル（３画素）分である。また、分割された共通電極配線層１４の間隔（分割領域の幅）は金属配線層１５の幅よりも小さく、金属配線層１５の幅はＢＭ１７の幅よりも小さい。
【００２６】
ガラス基板５８の上にゲート配線層５１が形成され、ゲート絶縁膜５２を介して半導体層５３が形成される。ソース配線層１６およびドレイン配線層５６は層間絶縁膜層５４のコンタクトホールを介して半導体層５３と接続される。ソース配線層１６の上に絶縁膜層５５を介して共通電極配線層１４が配置される。ソース配線層１６の上方に位置する部分に共通電極配線層１４上に金属配線層１５が接して配置される。共通電極配線層１４の上に層間絶縁膜層５７を介して画素電極層１９が配置される。画素電極層１９は絶縁膜層５５のコンタクトホールを介してドレイン電極層５６に接続される。画素電極層１９にはスリットがある。ゲート配線層５１はＸ方向に延在し、半導体層５３に向けてＹ方向にも延伸する。共通電極配線層１４および画素電極層１９はＩＴＯ等の透光金属層で形成され、金属配線層１５およびソース配線層１６は遮光金属層で形成される。
【００２７】
図６Ａは実施例１に係る液晶表示装置の構成を示す図である。図６Ｂは実施例１に係る液晶表示装置の混色を示す図である。図６Ａ（ａ）は液晶表示装置の一部を示した平面図、同図（ｂ）は同図（ａ）のＡ−Ａ’線に沿った液晶表示装置の一部を示した断面図である。実施例１に係る表示装置４０は、比較例２に係る表示装置１１Ａと同様な構成である。ただし、共通電極配線層１４の分割位置のサブピクセル間と同じ色のサブピクセル間の金属配線層１５はすべて配置しない。また、比較例２に係る表示装置１１Ａでは赤と緑のサブピクセル間で共通電極１４を分割しているが、実施例１に係る表示装置４０では赤と青のサブピクセル間で共通電極１４を分割している。図６Ａの場合は赤と青のサブピクセル間で共通電極１４が分割されているため、すべての赤と青のサブピクセル間の金属配線層１５は除去されている。ただし、図６Ｂは赤と緑のサブピクセル間で共通電極１４が分割されて、すべての赤と緑のサブピクセル間の金属配線層１５は除去されている場合の混色を示している。
【００２８】
図６Ｂ（ａ）はＣＦガラス基板が右にずれた場合、同図（ｂ）はＣＦガラス基板が左にずれた場合を示している。同図（ａｒ）、（ｂｒ）は液晶表示装置を右側から見た場合、同図（ａｃ）、（ｂｃ）は液晶表示装置を正面から見た場合、同図（ａｌ）、（ｂｌ）は液晶表示装置を左側から見た場合を示している。同図（ａ１）、（ｂ１）は赤サブピクセルのみに白電圧が印加された場合に組立ずれが起きたとき、同図（ａ２）、（ｂ２）は緑サブピクセルのみに白電圧が印加された場合に組立ずれが起きたとき、同図（ａ３）、（ｂ３）は青サブピクセルのみに白電圧が印加された場合に組立ずれが起きたときを示している。共通電極配線層１４の分割位置、すなわち、金属配線層１５がない箇所が比較例２よりも短い周期で配置されるので、同図（ａ２）（ａｒ）に示すように緑色画面に赤色が少し一様に混じり、同図（ｂ１）（ｂｌ）に示すように赤色画面に緑色が少し一様に混じる。実施例１に係る表示装置４０では、すべての赤と青のサブピクセル間の金属配線層１５は除去されているので、青色画面に赤色が少し一様に混じり、赤色画面に青色が少し一様に混じる。ただし、透過率が最も高い緑のサブピクセルの横の金属配線層１５は除去されていないので、図６Ｂの場合よりも混色を防止することができる。
【００２９】
本実施例の構成では赤と青のサブピクセル間では視野角混色防止効果が得られないが、緑と青、緑と赤のサブピクセル間では視野角混色防止効果を得ることができる。
【００３０】
タッチパネルの駆動電極配線層の機能を兼ねる共通電極配線層１４はＹ方向に延在し、Ｘ方向に分割されて周期的に配置されており、検出電極配線層５０はＸ方向に延在し、Ｙ方向に複数配置されている。共通電極配線層１４の幅は検出電極配線層５０の幅よりも広い。検出電極配線層は共通電極配線層よりも容易に増加することができる。したがって、縦長の表示装置において、検出電極配線層を増加することによって、容易にタッチ検出精度を向上することができる。
【実施例２】
【００３１】
実施例２に係る液晶表示装置は、図２Ａの比較例２に係る液晶表示装置１１Ａと同じ構成、すなわち、分割位置のみ金属配線層を排除し、それ以外のサブピクセル間は金属配線層１５を配置する構成である。しかし、サブピクセルの精細度が十分であれば、面内であるサブピクセル間のみ視野角混色が生じたとしても、その領域の幅は人間の目にとって十分小さく認識できない。したがって、赤サブピクセルと緑サブピクセルとの間の混色防止効果を得ることができる。なお、赤と青のサブピクセル間で共通電極１４を分割すれば、さらに混色を防止することができる。
【実施例３】
【００３２】
図７Ａは実施例３に係る液晶表示装置の構成を示す図である。図７Ｂは実施例３に係る液晶表示装置の混色を示す図である。図７Ａ（ａ）は液晶表示装置の一部を示した平面図、同図（ｂ）は同図（ａ）のＡ−Ａ’線に沿った液晶表示装置の一部を示した断面図である。実施例３に係る液晶表示装置４０Ａは、共通電極配線層１４の分割位置をジグザグにする構成を示している。
【００３３】
共通電極配線層１４のソース配線層１６方向（Ｙ方向）の分割位置は、１行目Ｌ１は赤サブピクセルと緑サブピクセルの間、２行目Ｌ２は緑サブピクセルと青サブピクセルの間、３行目Ｌ３は青サブピクセルと赤サブピクセルの間、４行目Ｌ４は緑サブピクセルと青サブピクセルの間、５行目Ｌ５は赤サブピクセルと緑サブピクセルの間である。共通電極配線層１４のゲート配線層方向（Ｘ方向）の分割位置は、１行目Ｌ１の緑サブピクセルと２行目Ｌ２の緑サブピクセルの間、２行目Ｌ２の青サブピクセルと３行目Ｌ３の青サブピクセルの間、３行目Ｌ３の青サブピクセルと４行目Ｌ４の青サブピクセルの間、４行目Ｌ４の緑サブピクセルと５行目Ｌ５の緑サブピクセルの間、である。分割領域２０は、微視的には、Ｘ方向に２サブピクセルの幅でジクザグに配置され、巨視的には、Ｙ方向に延在する。
【００３４】
図７Ａにおいて、１行目Ｌ１の緑サブピクセルの上および５行目Ｌ５の緑サブピクセルの下に共通電極配線層１４のゲート配線層方向（Ｘ方向）の分割領域が記載されているが、１行目Ｌ１の赤サブピクセルの上および５行目Ｌ５の赤サブピクセルの下に共通電極配線層１４のゲート配線層方向（Ｘ方向）の分割領域を設けてもよい。この場合は、分割領域２０は、微視的には、Ｘ方向に４サブピクセルの幅でジクザグに配置され、巨視的には、Ｙ方向に延在する。
【００３５】
図７Ｂ（ａ）はＣＦガラス基板が右にずれた場合、同図（ｂ）はＣＦガラス基板が左にずれた場合を示している。同図（ａｒ）、（ｂｒ）は液晶表示装置を右側から見た場合、同図（ａｃ）、（ｂｃ）は液晶表示装置を正面から見た場合、同図（ａｌ）、（ｂｌ）は液晶表示装置を左側から見た場合を示している。同図（ａ１）、（ｂ１）は赤サブピクセルのみに白電圧が印加された場合に組立ずれが起きたとき、同図（ａ２）、（ｂ２）は緑サブピクセルのみに白電圧が印加された場合に組立ずれが起きたとき、同図（ａ３）、（ｂ３）は青サブピクセルのみに白電圧が印加された場合に組立ずれが起きたときを示している。実施例２で示した構成の精細度が十分でない場合（比較例２）、視野角混色が線状にみえる場合がある。その場合、本実施例のように分割位置をジグザグにすることで同図（ａ１）（ａｒ）に示すように赤色画面に青色の縦筋が現れ、同図（ａ２）（ａｒ）に示すように緑色画面に赤色の縦筋が現れ、同図（ａ３）（ａｒ）に示すように青色画面に緑色の縦筋が現れる。また、同図（ｂ１）（ｂｌ）に示すように赤色画面に緑色の縦筋が現れ、同図（ｂ２）（ｂｌ）に示すように緑色画面に青色の縦筋が現れ、同図（ｂ３）（ｂｌ）に示すように青色画面に赤色の縦筋が現れる。ただし、本実施例のように分割位置をジグザグにすることで視野角混色が生じた場合の光漏れ量を比較例２に比べて１／３にすることができる。したがって、視野角混色部分の視認性を比較例２よりも低下させることができる。
【００３６】
＜変形例＞
図８は変形例に係る液晶表示装置の構成を示す図である。図８（ａ）は液晶表示装置の一部を示した平面図、同図（ｂ）は同図（ａ）のＡ−Ａ’線に沿った液晶表示装置の一部を示した断面図である。変形例に係る液晶表示装置４０Ｂは、ジグザグを一方向に繰り返すことで斜め方向に分割した共通電極の配置にすることができる。視野角混色の視認性を低下する目的でこのような構成をとっても良い。
【００３７】
液晶表示装置４０Ｂの共通電極配線層１４の分割位置は、実施例３の共通電極配線層１４の１行目Ｌ１から３行目Ｌ３までの分割位置と同である。液晶表示装置４０Ｂの共通電極配線層１４のＹ方向の分割位置は、４行目Ｌ４は赤サブピクセルと緑サブピクセルの間、５行目Ｌ５は緑サブピクセルと青サブピクセルの間である。変形例の共通電極配線層１４のＸ方向の分割位置は３行目Ｌ３の赤サブピクセルと４行目Ｌ４の赤サブピクセルの間、４行目Ｌ４の緑サブピクセルと５行目Ｌ５の緑サブピクセルの間、である。分割領域２０は、微視的にはジクザグに配置され、巨視的にはＹ方向に延在する。
【実施例４】
【００３８】
図９Ａは実施例４に係る液晶表示装置の構成を示す図である。図９Ｂは実施例４に係る液晶表示装置の混色を示す図である。図９Ａ（ａ）は液晶表示装置の一部を示した平面図、同図（ｂ）は同図（ａ）のＡ−Ａ’線に沿った液晶表示装置の一部を示した断面図である。実施例４に係る表示装置４０Ｃは、ＲＧＢの３色サブピクセルに加えて、青サブピクセルの半分を白（Ｗ）サブピクセルに変更したものである。すなわち、実施例４に係る表示装置４０Ｃは、ＲＧＢＷの４色サブピクセル構造で、青サブピクセルと白サブピクセルが同一ソース配線層１６を共用し、共有電極層配線層１４のソース配線層１６方向（Ｙ方向）の分割位置が赤サブピクセルと青サブピクセル間を通るようにジグザグにする。共有電極層配線層１４のソース配線層１６方向の分割位置は白サブピクセルと青サブピクセルの間にはない。共通電極配線層１４のゲート配線層方向（Ｘ方向）の分割位置は、１行目Ｌ１の白サブピクセルと２行目Ｌ２の青サブピクセルの間、２行目Ｌ２の青サブピクセルと３行目Ｌ３の白サブピクセルの間、３行目Ｌ３の白サブピクセルと４行目Ｌ４の青サブピクセルの間、４行目Ｌ４の青サブピクセルと５行目Ｌ５の白サブピクセルの間、である。分割領域２０は、微視的には、Ｘ方向に３サブピクセルの幅でジクザグに配置され、巨視的には、Ｙ方向に延在する。分割された一つの共通電極配線層１４のＸ方向は１２サブピクセル（４画素）分である。
【００３９】
図９Ｂ（ａ）はＣＦガラス基板が右にずれた場合、同図（ｂ）はＣＦガラス基板が左にずれた場合を示している。同図（ａｒ）、（ｂｒ）は液晶表示装置を右側から見た場合、同図（ａｃ）、（ｂｃ）は液晶表示装置を正面から見た場合、同図（ａｌ）、（ｂｌ）は液晶表示装置を左側から見た場合を示している。同図（ａ１）、（ｂ１）は赤サブピクセルのみに白電圧が印加された場合に組立ずれが起きたとき、同図（ａ２）、（ｂ２）は緑サブピクセルのみに白電圧が印加された場合に組立ずれが起きたとき、同図（ａ３）、（ｂ３）は青サブピクセルのみに白電圧が印加された場合に組立ずれが起きたときを示している。同図（ａ１）（ａｒ）に示すように赤色画面に青色の縦筋が現れ、同図（ｂ３）（ｂｌ）に示すように青色画面に赤色の縦筋が現れる。ただし、本実施例のように分割位置をジグザグにすることで視野角混色が生じた場合の光漏れ量を比較例２に比べて１／２にすることができる。したがって、視野角混色部分の視認性を比較例２よりも低下させることができる。
【００４０】
共有電極配線層１４の分割位置は、もし光が漏れてもその透過光がすくなく、混色として認識しにくくてすむように赤サブピクセルと青サブピクセル間での分割が望ましい。しかしながら、ＲＧＢＷの４色サブピクセルで青サブピクセルと白サブピクセルが同一ソース配線層１６を共用する画素構成の場合、赤サブピクセルと青サブピクセル間で直線状に分割しようとした場合、透過率の高い白サブピクセル横が含まれてしまう。緑サブピクセルよりも透過率の高い白サブピクセルの横で共有電極配線層１４を分割した場合、もし光が漏れた場合の視野角混色が顕著になってしまう。そこで、白サブピクセルを回避するように赤サブピクセルと青サブピクセルとの間をジグザグに分割することで、視野角混色を低減することができる。なお、比較例２と同様に共有電極配線層１４を直線状に分割する場合は、白サブピクセルの横を避けるために、比較例２と同様に赤サブピクセルと緑サブピクセルの間で共有電極配線層１４を分割するのが好ましい。
【００４１】
以上、本発明者によってなされた発明を実施の形態、実施例および変形例に基づき具体的に説明したが、本発明は、上記実施の形態、実施例および変形例に限定されるものではなく、種々変更可能であることはいうまでもない。
【符号の説明】
【００４２】
１１、１１Ａ、４０、４０Ａ、４０Ｂ、４０Ｃ・・・液晶表示装置
１２・・・ＴＦＴガラス基板
１３・・・ＣＦガラス基板
１４・・・共通電極配線層
１５・・・金属配線層
１６・・・信号配線層（ソース配線層）
１７・・・ブラックマトリックス（ＢＭ）
１８・・・カラーフィルタ（着色層）
１９・・・画素電極層
２０・・・分割領域（分割位置）
２１・・・液晶層
【図１】
2015075605.tif 000003
【図２Ａ】
2015075605.tif 000004
【図２Ｂ】
2015075605.tif 000005
【図３Ａ】
2015075605.tif 000006
【図３Ｂ】
2015075605.tif 000007
【図３Ｃ】
2015075605.tif 000008
【図３Ｄ】
2015075605.tif 000009
【図４】
2015075605.tif 000010
【図５】
2015075605.tif 000011
【図６Ａ】
2015075605.tif 000012
【図６Ｂ】
2015075605.tif 000013
【図７Ａ】
2015075605.tif 000014
【図７Ｂ】
2015075605.tif 000015
【図８】
2015075605.tif 000016
【図９Ａ】
2015075605.tif 000017
【図９Ｂ】
2015075605.tif 000018